(57)【要約】【課題】複数の電動送風機のうちいずれかの電動送風機を駆動させる場合に吸込仕事率を損失することのない電気掃除機を提案する。【解決手段】電気掃除機１は、掃除機本体２に収容された複数の電動送風機１２と、連結管部２６を介して電動送風機１２の吸込側に接続された集塵袋２９と、それぞれの電動送風機１２を独立させて駆動可能な制御部と、を備え、連通管部２６は、それぞれの電動送風機１２が独立に連通された個別連通風路３４を複数有する個別連通管部材３５と、個別連通風路３４の全てが合流するとともに、集塵袋２９に連通された集合連通風路３６を有する集合管部材３７と、凹部４８および凹部４９から成り、個別連通風路３５の流れ方向に長い長穴を有する弁軸受部５０と、弁軸受部４５の長手方向に摺動自在な軸部５３回りに揺動可能に設けられ、個別連通風路３５を開閉させる弁体５１と、を備える。【選択図】  図４
2010273957.tif 000002
【特許請求の範囲】
【請求項１】
掃除機本体と、
前記掃除機本体に収容された複数の電動送風機と、
前記電動送風機の吸込側に接続された連通管部と、
前記連結管部を介して前記電動送風機の吸込側に接続された塵埃分離集塵部と、
それぞれの前記電動送風機を独立させて駆動可能な制御部と、を備え、
前記連通管部は、
それぞれの前記電動送風機が独立に連通された個別の連通風路を複数有する第一区画壁部材と、
前記個別の連通風路の全てが合流するとともに、前記塵埃分離集塵部に連通された集合連通風路を有する第二区画壁部材と、
前記第一区画壁部材に形成された凹部および第二区画壁部材に形成された凹部から成り、前記個別の連通風路の流れ方向に長い長穴を有する弁軸受部と、
前記弁軸受部の長手方向に摺動自在な軸回りに揺動可能に設けられ、前記個別の連通風路を開閉させる逆流防止弁体と、を備えたことを特徴とする電気掃除機。
【請求項２】
前記電動送風機は、有底円筒状に形成され、底面の中央部分に吸込口を有するファンカバーを備えるとともに、前記吸込口を前記掃除機本体の底面に向けて指向させて配置され、
前記個別の連通風路は、前記ファンカバーの径方向に沿わせて指向され、
前記弁軸受部は、前記ファンカバーの径方向の外周縁近傍に配置され、
前記逆流防止弁体は、全開させた状態で、前記個別の連通風路の内壁に沿うことを特徴とする請求項１に記載の電気掃除機。
【請求項３】
前記逆流防止弁体の自重による揺動を適宜に傾斜させた状態で保持可能に設けられた弁座を備えたことを特徴とする請求項１または２に記載の電気掃除機。
【請求項４】
前記逆流防止弁体は、
軽金属の平板で形成された本体と、
前記本体に一体に形成され、互いに遠ざかるように突出させた一対の軸基部と、
前記軸基部に設けられたスリーブと、を備えたことを特徴とする請求項１から３のいずれか１項に記載の電気掃除機。
【発明の詳細な説明】
【技術分野】
【０００１】
本発明は、複数の電動送風機を備えた電気掃除機に関する。
【背景技術】
【０００２】
複数の電動送風機が収容された掃除機本体を備える電気掃除機が知られている。この掃除機本体は、それぞれの電動送風機の吸込側が共通に連通された集塵室と、それぞれの電動送風機を独立に駆動させる制御部と、を備える（例えば、特許文献１参照。）。
【先行技術文献】
【特許文献】
【０００３】
【特許文献１】特開２００７−２０７６５号公報
【発明の概要】
【発明が解決しようとする課題】
【０００４】
複数の電動送風機を備えた電気掃除機、特に集塵室に電動送風機が並列に接続された電気掃除機は、少なくとも１つの電動送風機を停止させた状態で、他の電動送風機を駆動させると、駆動中の電動送風機の負圧が集塵室を介して停止中の電動送風機に作用する。そうすると、電気掃除機は、停止中の電動送風機の排気側から吸込側に逆流する空気流によって、吸込仕事率を大幅に損失してしまう。
【０００５】
本発明は、複数の電動送風機のうちいずれかの電動送風機を駆動させる場合に吸込仕事率を損失することのない電気掃除機を提案する。
【課題を解決するための手段】
【０００６】
前記の課題を解決するため本発明に係る電気掃除機は、掃除機本体と、前記掃除機本体に収容された複数の電動送風機と、前記電動送風機の吸込側に接続された連通管部と、前記連結管部を介して前記電動送風機の吸込側に接続された塵埃分離集塵部と、それぞれの前記電動送風機を独立させて駆動可能な制御部と、を備え、前記連通管部は、それぞれの前記電動送風機が独立に連通された個別の連通風路を複数有する第一区画壁部材と、前記個別の連通風路の全てが合流するとともに、前記塵埃分離集塵部に連通された集合連通風路を有する第二区画壁部材と、前記第一区画壁部材に形成された凹部および第二区画壁部材に形成された凹部から成り、前記個別の連通風路の流れ方向に長い長穴を有する弁軸受部と、前記弁軸受部の長手方向に摺動自在な軸回りに揺動可能に設けられ、前記個別の連通風路を開閉させる逆流防止弁体と、を備えたことを特徴とする。
【発明の効果】
【０００７】
本発明によれば、複数の電動送風機のうちいずれかの電動送風機を駆動させる場合に吸込仕事率を損失することのない電気掃除機を提案できる。
【図面の簡単な説明】
【０００８】
【図１】本発明の実施形態に係る電気掃除機の外観を示した図。
【図２】本発明の実施形態に係る電気掃除機の掃除機本体を示した斜視図。
【図３】本発明の実施形態に係る電気掃除機掃除機本体を示した斜視図。
【図４】本発明の実施形態に係る電気掃除機の連通管部を示した断面図。
【図５】本発明の実施形態に係る電気掃除機の個別連通管部材を示した斜視図。
【図６】本発明の実施形態に係る電気掃除機の集合管部材を示した斜視図。
【図７】本発明の実施形態に係る電気掃除機の集合管部材を示した斜視図。
【図８】本発明の実施形態に係る電気掃除機の逆流防止弁の弁体を示した斜視図。
【図９】本発明の実施形態に係る電気掃除機の逆流防止弁の弁軸受部を示した断面図。
【図１０】本発明の実施形態に係る電気掃除機を示したブロック図。
【図１１】本発明の実施形態に係る電気掃除機の連通管部を示した断面図。
【図１２】本発明の実施形態に係る電気掃除機の連通管部を示した断面図。
【発明を実施するための形態】
【０００９】
本発明に係る電気掃除機の実施形態について図１から図１２を参照して説明する。
【００１０】
図１は、本発明の実施形態に係る電気掃除機の外観を示した図である。
【００１１】
図１に示すように、本実施形態に係る電気掃除機１は、掃除機本体２と、集塵ホース３と、手元操作管４と、把持部５と、操作部６と、延長管７と、吸込口体８と、を備える。
【００１２】
掃除機本体２は、接続口２ａおよび排気口１０を有するケース体１１と、ケース体１１に収容された複数、例えば２つの電動送風機１２ａ、１２ｂと、電動送風機１２ａ、１２ｂの駆動を制御する制御部１３と、電動送風機１２ａ、１２ｂに電力を供給する電源コード１４と、を備える。電源コード１４の自由端部には、電源プラグ１５が形成される。ケース体１１は、下ケース１８と、下ケース１８を覆おう上ケース１９と、上ケース１９に回動自在に設けられた蓋ケース２０と、を備える。なお、電動送風機１２ａ、１２ｂのいずれか、または両方を単に電動送風機１２と呼ぶ。
【００１３】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１４】
手元操作管４の一端は、集塵ホース３の他端に設けられる。手元操作管４は、集塵ホース３を介して掃除機本体２の内部に連通される。
【００１５】
把持部５は、電気掃除機１のユーザが把持して電気掃除機１を操作するものである。把持部５は、手元操作管４の他端部に突設され、集塵ホース３が設けられた手元操作管４の一端部に向けて湾曲させて形成される。
【００１６】
操作部６は、把持部５に設けられる。電気掃除機１のユーザは、操作部６を操作して電動送風機１２ａ、１２ｂの運転モードを選択できる。操作部６は、電動送風機１２ａ、１２ｂの運転を停止させる停止スイッチ２２と、電動送風機１２ａ、１２ｂの運転を開始させる起動スイッチ２３と、を有する。起動スイッチ２３は、弱運転起動スイッチ２３ａと、中運転起動スイッチ２３ｂと、強運転起動スイッチ２３ｃと、を有し、電動送風機１２ａ、１２ｂの運転モードを択一的に選択できる。
【００１７】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００１８】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口体８が床面などの被掃除面に配置されると、吸込口は被掃除面に対向される。
【００１９】
図２は、本発明の実施形態に係る電気掃除機の掃除機本体を示した斜視図である。なお、図２は、ケース体の上ケースおよび蓋ケースを取り外して示した図である。
【００２０】
図２に示すように、電気掃除機１の掃除機本体２は、掃除機本体２の幅方向に並設された複数の電動送風機１２ａ、１２ｂと、電動送風機１２ａ、１２ｂが収容される電動送風機収容部２５と、電動送風機１２ａ、１２ｂの吸込側に連通された連通管部２６と、連通管部２６を介して電動送風機１２ａ、１２ｂの吸込側に連通された集塵袋収容容器２７と、を備える。
【００２１】
電動送風機収容部２５は、電動送風機１２ａ、１２ｂの吸込側をそれぞれ独立させて連通管部２６に連通させる。一方、電動送風機収容部２５は、電動送風機１２ａ、１２ｂの吐出側をそれぞれ独立させて掃除機本体２の外側に接続させても良く、電動送風機１２ａ、１２ｂの吐出側を集合させて掃除機本体２の外側に接続させても良い。電動送風機収容部２５は、電動送風機１２ａ、１２ｂをそれぞれ独立に保持する電動送風機保持部２８ａ、２８ｂを備える。なお、電動送風機保持部２８ａ、２８ｂのいずれか、または両方を単に電動送風機保持部２８と呼ぶ。
【００２２】
集塵袋収容容器２７は、塵埃分離集塵部としての集塵袋２９が着脱自在に収容された集塵室３１を区画する。また、集塵袋収容容器２７は、格子状に配置された複数のスリット状の開口３２を有する。集塵袋収容容器２７は、開口３２を通じて連通管部２６に連通され、さらに連通管部２６を通じて電動送風機１２ａ、１２ｂに並列に接続される。したがって、集塵袋収容容器２７に装着された集塵袋２９は、連通管部２６を通じて電動送風機１２ａ、１２ｂに並列に接続される。
【００２３】
なお、本実施形態に係る電気掃除機１は、塵埃分離集塵部としての集塵袋２９（いわゆる紙パック）を備えるが、集塵袋２９に代えて遠心分離式の塵埃分離集塵部を用いても良い。
【００２４】
図３は、本発明の実施形態に係る電気掃除機の掃除機本体を示した斜視図である。なお、図３は、ケース体の上ケース、蓋ケースおよび集塵袋収容容器を取り外して示した図である。
【００２５】
図４は、本発明の実施形態に係る電気掃除機の連通管部を示した断面図である。
【００２６】
図３および図４に示すように、電気掃除機１の連通管部２６は、電動送風機保持部２８と一体に形成される。また、連通管部２６は、電動送風機１２ａ、１２ｂがそれぞれ独立に連通された個別連通風路３４（個別の連通風路）を複数有する個別連通管部材３５（第一区画壁部材）と、個別連通風路３４の全てが合流するとともに、集塵袋収容容器２７に連通された集合連通風路３６を有する集合管部材３７（第二区画壁部材）と、個別連通風路３４と集合連通風路３６との境界に設けられた逆流防止弁３８と、を備える。
【００２７】
それぞれの電動送風機保持部２８は、電動送風機１２の遠心ファン部４０を下方に位置させて電動送風機１２を保持する。電動送風機１２は、有底円筒状に形成され、底面の中央部分に吸込口４１を有するファンカバー４２を備える。ファンカバー４２は、遠心ファン部４０を覆う外殻である。また、電動送風機１２は、吸込口４１を掃除機本体２の底面に向けて指向させて配置される。
【００２８】
個別連通管部材３５は、電動送風機保持部２８と一体に形成されるとともに、電動送風機１２の吸込口４１の正面に電動送風機保持部２８に連通された開口４４を有する。個別連通管部材３５の個別連通風路３４は、電動送風機１２のファンカバー４２の径方向（図４中、実線矢Ａ）に沿わせて指向される。
【００２９】
集合管部材３７は、一体に形成された電動送風機保持部２８および個別連通管部材３５に形成された凹部４５に嵌着される。集合管部材３７は、それぞれの個別連通風路３４に対応させて複数の開口４６を有する。集合管部材３７の集合連通風路３６は、それぞれの開口４６を通じてそれぞれの個別連通風路３４に連通される。
【００３０】
逆流防止弁３８は、フラップ弁である。逆流防止弁３８は、集合管部材３７と個別連通管部材３５との境界部分に設けられ、個別連通風路３４を開閉させる。逆流防止弁３８は、集合管部材３７に形成された凹部４８および個別連通管部材３５に形成された凹部４９から成る弁軸受部５０と、弁軸受部５０に揺動可能に設けられた弁体５１（逆流防止弁体）と、集合管部材３７の開口４６に設けられた弁座５２と、を備える。
【００３１】
弁軸受部５０は、個別連通風路３４の流れ方向（図４中、実線矢Ａの反対方向）に長い長穴状に形成される。また、弁軸受部５０は、電動送風機１２のファンカバー４２の径方向の外周縁近傍に配置される。
【００３２】
弁体５１は、弁軸受部５０の長手方向に摺動自在な軸部５３回りに揺動可能に設けられる。なお、図４に示した弁体５１は、弁軸受部５０の摺動範囲内で弁座５２から離間させて描かれている。
【００３３】
また、弁体５１は、個別連通風路３４を全開させた状態で、個別連通風路３４の内壁に沿う（図４中、破線で示した弁体５１）。そして、弁体５１は、電動送風機１２のファンカバー４２の下方に揺動自在に保持されるとともに、電動送風機保持部２８と個別連通管部材３５とを連通させる開口４４を遮ることのない回転半径を有する。
【００３４】
弁座５２は、弁体５１の自重による揺動を適宜の傾斜角度θで傾斜させた状態で保持可能に設けられる。傾斜角度θは、掃除機本体２を床面などの水平な被掃除面に配置した際の鉛直方向を基準とする角度であり、その鋭角側の角度である。
【００３５】
図５は、本発明の実施形態に係る電気掃除機の個別連通管部材を示した斜視図である。
【００３６】
図５に示すように、電気掃除機１の個別連通管部材３５は、電動送風機保持部２８の電動送風機１２に対応させた開口４４と、それぞれの電動送風機１２を開口４４から集合連通風路３６に連通させる個別連通風路３４と、を有するとともに、逆流防止弁３８の弁軸受部５０の一部を構成する凹部４９と、集合管部材３７が嵌着される凹部４５と、を備える。
【００３７】
凹部４９は、吸込口４１を下方に指向させて配置された電動送風機１２に対し、その下方に配置された個別連通風路３４を開閉させる逆流防止弁３８が、その自重によって閉じられるように、弁体５１の軸部５３を個別連通風路３４の上方側に位置させるよう配置される。
【００３８】
図６および図７は、本発明の実施形態に係る電気掃除機の集合管部材を示した斜視図である。なお、図６は、集合管部材３７の集合連通風路３６側を示した斜視図であり、図７は、集合管部材３７の個別連通管部材３５に嵌着される側を示した斜視図である。
【００３９】
図６および図７に示すように、電気掃除機１の集合管部材３７は、個別連通管部材３５の個別連通風路３４に対応させて開口４６を有するとともに、逆流防止弁３８の弁軸受部５０の一部を構成する凹部４８と、開口４６に設けられた逆流防止弁３８の弁座５２と、電動送風機保持部２８に対応させた凹所５５と、隔壁５６と、を備える。
【００４０】
集合管部材３７は、集塵袋収容容器２７が設けられる側に開放された長方形状の箱状体であり、その長手方向にそれぞれの電動送風機１２に対応させて開口４６が並設されるとともに、凹所５５が設けられる。凹所５５は、電動送風機１２に集合管部材３７を近接させるために設けられる。
【００４１】
凹部４８は、吸込口４１を下方に指向させて配置された電動送風機１２に対し、その下方に配置された個別連通風路３４を開閉させる逆流防止弁３８が、その自重によって閉じられるように、弁体５１の軸部５３を個別連通風路３４の上方側に位置させるよう配置される。
【００４２】
隔壁５６は、個別連通風路３４間の漏洩が生じないように凹部４５に嵌着された集合管部材３７と個別連通管部材３５との隙間を区画する。
【００４３】
図８は、本発明の実施形態に係る電気掃除機の逆流防止弁の弁体を示した斜視図である。
【００４４】
図８に示すように、逆流防止弁３８の弁体５１は、アルミニウム合金などの軽金属の平板で形成された本体５７と、本体５７に一体に形成され、互いに遠ざかるように突出させた一対の軸基部５８と、軸基部５８に設けられた軸部５３（スリーブ）と、を備える。
【００４５】
本体５７および軸基部５８は、軽金属の平板を打ち抜いて形成できる。
【００４６】
弁体５１は、このような構造によって、非常に軽量で有るとともに、軸部５３回りに円滑に揺動可能なフラップ弁体となる。
【００４７】
図９は、本発明の実施形態に係る電気掃除機の逆流防止弁の弁軸受部を示した断面図である。
【００４８】
図９に示すように、逆流防止弁３８の弁軸受部５０は、集合管部材３７に形成された凹部４８および個別連通管部材３５に形成された凹部４９から成り、個別連通風路３４の流れ方向（図９中、実線矢Ａの反対方向）に長い長穴状に形成される。
【００４９】
逆流防止弁３８の弁体５１の軸部５３は、弁軸受部５０の長手方向に摺動自在、かつ回動自在に保持され、弁体５１の全体では弁軸受部５０の長手方向に摺動自在、かつ揺動自在に保持される。
【００５０】
図１０は、本発明の実施形態に係る電気掃除機を示したブロック図である。
【００５１】
図１０に示すように、電気掃除機１は、操作部６と、複数の電動送風機１２ａ、１２ｂと、複数、例えば２つのスイッチング素子６１ａ、６１ｂと、それぞれの電動送風機１２ａ、１２ｂを独立させて駆動可能な制御部１３と、を備える。
【００５２】
電動送風機１２ａ、１２ｂと、スイッチング素子６１ａ、６１ｂと、制御部１３とは、掃除機本体２に収容される。電動送風機１２ａ、１２ｂと、スイッチング素子６１ａ、６１ｂとは、それぞれ互いに並列に接続される。一方、電動送風機１２ａと、スイッチング素子６１ａとは、直列に接続され、他方、電動送風機１２ｂと、スイッチング素子６１ｂとは、直列に接続される。
【００５３】
操作部６は、電気掃除機１のユーザが入力する操作内容に対応させた操作信号を制御部１３に出力する。具体的には、操作部６は、電気掃除機１のユーザが停止スイッチ２２を操作すると、電動送風機１２ａ、１２ｂの停止信号Ｓｏｆｆを制御部１３に出力する。また、操作部６は、電気掃除機１のユーザが弱運転起動スイッチ２３ａを操作すると電動送風機１２ａ、１２ｂの弱運転信号Ｓｏｎａを制御部１３に出力する。さらに、操作部６は、電気掃除機１のユーザが中運転起動スイッチ２３ｂを操作すると電動送風機１２ａ、１２ｂの中運転信号Ｓｏｎｂを制御部１３に出力する。さらにまた、電気掃除機１のユーザが強運転起動スイッチ２３ｃを操作すると電動送風機１２ａ、１２ｂの強運転信号Ｓｏｎｃを制御部１３に出力する。
【００５４】
電動送風機１２ａ、１２ｂは、それぞれが接続されたスイッチング素子６１ａ、６１ｂを介して商用電源Ｅに接続される。
【００５５】
スイッチング素子６１ａ、６１ｂは、制御部１３の制御に応じて電動送風機１２ａ、１２ｂに電力を供給する。スイッチング素子６１ａ、６１ｂは、電力制御用に双方向サイリスタや逆阻止３端子サイリスタなどの素子を用いて構成される。スイッチング素子６１ａ、６１ｂのゲート端子は、制御部１３に接続される。
【００５６】
制御部１３は、予め設定された複数の運転モードを択一的に選択し、電動送風機１２ａ、１２ｂの運転制御を行う。制御部１３は、操作部６から入力された操作信号に応じて電動送風機１２ａ、１２ｂの運転を開始または停止させる。
【００５７】
具体的には、制御部１３は、例えば、３つの運転モード、すなわち、弱運転モードと、中運転モードと、強運転モードとが設定される。制御部１３は、操作部６から弱運転信号Ｓｏｎａが入力されると、弱運転モードを選択し、電動送風機１２ａおよび電動送風機１２ｂのいずれか一方を小出力、例えば約５０％出力で運転する。また、制御部１３は、操作部６から中運転信号Ｓｏｎｂが入力されると、中運転モードを選択し、電動送風機１２ａおよび電動送風機１２ｂのいずれか一方を大出力、例えば約１００％出力で運転する。さらに、制御部１３は、操作部６から強運転信号Ｓｏｎｃが入力されると、強運転モードを選択し、電動送風機１２ａおよび電動送風機１２ｂの両方を大出力で運転する。他方、制御部１３は、操作部６から停止信号Ｓｏｆｆが入力されると、電動送風機１２ａ、１２ｂの運転を停止する。ここで、このような制御部１３による制御を電動送風機１２ａ、１２ｂの運転モード制御と呼ぶ。
【００５８】
また、制御部１３は、中央処理部（図示省略）、メモリ（図示省略）等から構成される。メモリは、中央処理部が実行する制御プログラムや、必要な定数などのデータが記憶される。また、メモリは、中央処理部の演算データなどを一時記憶しておくデータ記憶領域ならびに作業領域として使用される。
【００５９】
制御部１３による電動送風機１２ａ、１２ｂの運転モード制御および運転切替制御をさらに詳しく説明する。
【００６０】
制御部１３は、商用交流電源Ｅが半サイクルごとに０Ｖ（ゼロクロスポイント）からＯＮするまでの時間、すなわち位相角をトリガーレベル値とする制御信号（ゲート信号）をスイッチング素子６１ｂ、もしくはスイッチング素子６１ａのゲート端子に出力し、位相制御によって電動送風機１２ａ、１２ｂの運転出力を制御し、運転モード制御を行う。
【００６１】
具体的には、制御部１３は、弱運転モードが選択された場合、位相角を例えば、約９０°とし、電動送風機１２ａおよび電動送風機１２ｂのいずれか一方に通電し、小出力運転にする。このとき、制御部１３は、電気掃除機１のユーザが停止スイッチ２２を操作する度、すなわち、操作部６から停止信号Ｓｏｆｆが入力される度に、電動送風機１２ａ→電動送風機１２ｂ→電動送風機１２ａ………のように通電する電動送風機１２ａ、１２ｂを切り換える。
【００６２】
次に、制御部１３は、中運転モードが選択された場合、位相角を例えば、約１８０°とし、電動送風機１２ａおよび電動送風機１２ｂのいずれか一方に通電し、大出力運転にする。このとき、制御部１３は、電気掃除機１のユーザが停止スイッチ２２を操作する度、すなわち、操作部６から停止信号Ｓｏｆｆが入力される度に、電動送風機１２ａ→電動送風機１２ｂ→電動送風機１２ａ………のように通電する電動送風機１２ａ、１２ｂを切り換える。
【００６３】
次に、制御部１３は、強運転モードが選択された場合、位相角を例えば、約１８０°とし、電動送風機１２ａおよび電動送風機１２ｂの両方に通電し、両方の電動送風機１２ａ、１２ｂを大出力運転する。
【００６４】
次に、電気掃除機１の各運転モードにおける連通管部２６の状態を説明する。
【００６５】
図１１および図１２は、本発明の実施形態に係る電気掃除機の連通管部を示した断面図である。図１１は、駆動中の電動送風機１２に連通された個別連通風路３４で逆流防止弁３８が開いた状態を示した図であり、図１２は、停止中の電動送風機１２に連通された個別連通風路３４で逆流防止弁３８が閉じた状態を示した図である。
【００６６】
電気掃除機１は、集塵袋２９あるいは遠心分離式の塵埃分離集塵部に並列に接続された電動送風機１２ａ、１２ｂを備える。そして、電気掃除機１は、例えば弱運転モードおよび中運転モードにおいて、少なくとも１つの電動送風機１２ａ（または電動送風機１２ｂ）を停止させた状態で、他の電動送風機１２ｂ（または電動送風機１２ａ）を駆動させると、駆動中の電動送風機１２ｂ（または電動送風機１２ａ）の負圧が塵埃分離集塵部に作用する。
【００６７】
このとき、図１１に示すように、駆動中の電動送風機１２に連通された逆流防止弁３８は、集塵袋収容容器２７あるいは塵埃分離集塵部から流入する空気によって弁座５２から弁体５１が離れるように揺動し、個別連通風路３４を開放させる。個別連通風路３４を流れる空気は、集合管部材３７の開口４６から電動送風機１２の吸込口４１に至る過程で、その流れの方向を曲げられる。そして、弁体５１は、この流れの曲率の内側に位置されるため、流動する空気に巻き込まれるようにして吹き上げられ、個別連通風路３４の内壁に沿って位置することとなる。
【００６８】
他方、図１２に示すように、停止中の電動送風機１２に連通された逆流防止弁３８は、先ず弁体５１に自重によって弁体５１が弁座５２に接し、さらに集塵袋収容容器２７あるいは塵埃分離集塵部に作用する負圧によって弁体５１が弁座５２に押圧され、密着し、個別連通風路３４を閉塞させる（逆流防止動作）。すなわち、個別連通風路３４は、その下流に位置する停止中の電動送風機１２を経て大気に開放されるので、集塵袋収容容器２７あるいは塵埃分離集塵部に作用する負圧と大気圧との差圧によって弁体５１が弁座５２に押圧される。
【００６９】
本実施形態に係る電気掃除機１によれば、停止中の電動送風機１２側から空気が吸い込まれることが無く、複数の電動送風機１２のうち、少なくとも１つの電動送風機１２を停止させることにともなう吸込仕事率の損失が無い。
【００７０】
また、本実施形態に係る電気掃除機１によれば、弁体５１が弁座５２に押圧されるとき、弁体５１の軸部５３は、個別連通風路３４の流れの方向に沿って弁軸受部５０を摺動できるので、軸部５３の軸支位置に拘束されることなく弁体５１と弁座５２との当たりが確実に確保され、個別連通風路３４が確実に閉塞される。
【００７１】
さらに、本実施形態に係る電気掃除機１によれば、弁体５１が弁座５２から離れるとき、弁体５１の軸部５３は、個別連通風路３４の流れの方向に沿って弁軸受部５０を摺動できるので、軸部５３の軸支位置に拘束されることなく弁体５１と弁座５２とが確実に引き離され、個別連通風路３４が確実に開放される。
【００７２】
さらにまた、本実施形態に係る電気掃除機１によれば、弁体５１は、個別連通風路３４を流動する空気に巻き込まれるようにして吹き上げられ、個別連通風路３４の内壁に沿って位置し開放されるので、電動送風機１２の流れを乱すことなく、電気掃除機１の吸込仕事率の損失を小さくできる。
【００７３】
また、本実施形態に係る電気掃除機１によれば、電動送風機１２の吸込口４１を掃除機本体２の下方に指向させて配置するので、電動送風機１２が発する騒音（吸込口４１の開口方向に向けて指向特性を有する）が直接的に電気掃除機１のユーザに伝ぱすることを防ぎ、騒音の低減が可能となる。
【００７４】
さらに、本実施形態に係る電気掃除機１によれば、弁体５１は、電動送風機１２のファンカバー４２の前方に揺動自在に保持されるとともに、電動送風機保持部２８と個別連通管部材３５とを連通させる開口４４を遮ることのない回転半径を有することで、塵埃分離集塵部と電動送風機１２との間に設けられる連通管部２６をコンパクトに形成し、電気掃除機１の小型化、吸込仕事率の損失の低減に寄与できる。
【００７５】
さらにまた、本実施形態に係る電気掃除機１によれば、弁体５１は、電動送風機１２による負圧が作用する以前にその自重によって弁座５２に接するため、逆流防止動作において個別連通風路３４から集塵室３１に流入する空気を確実に遮断できる。
【００７６】
また、本実施形態に係る電気掃除機１によれば、軽金属の平板を打ち抜いて弁体５１の本体５７および軸基部５８を形成できるので、弁体５１の軽量化、これにともなう逆流防止弁３８の応答性の向上、樹脂材を用いて弁体５１を形成した場合に比べた単位重量当たりの剛性の向上が可能となる。
【００７７】
したがって、本発明に係る電気掃除機１によれば、複数の電動送風機１２のうちいずれかの電動送風機１２を駆動させる場合に吸込仕事率を損失することがない。
【００７８】
なお、本実施形態に係る電気掃除機１は、電動送風機１２を２つ備える場合について説明したが、電動送風機１２を３つ以上備える電気掃除機１についても同様に対応可能である。
【符号の説明】
【００７９】
１  電気掃除機
２  掃除機本体
２ａ  接続口
３  集塵ホース
４  手元操作管
５  把持部
６  操作部
７  延長管
８  吸込口体
１０  排気口
１１  ケース体
１２、１２ａ、１２ｂ  電動送風機
１３  制御部
１４  電源コード
１５  電源プラグ
１８  下ケース
１９  上ケース
２０  蓋ケース
２２  停止スイッチ
２３  起動スイッチ
２３ａ  弱運転起動スイッチ
２３ｂ  中運転起動スイッチ
２３ｃ  強運転起動スイッチ
２５  電動送風機収容部
２６  連通管部
２７  集塵袋収容容器
２８  電動送風機保持部
２９  集塵袋
３１  集塵室
３２  開口
３４  個別連通風路
３５  個別連通管部材
３６  集合連通風路
３７  集合管部材
３８  逆流防止弁
４０  遠心ファン部
４１  吸込口
４２  ファンカバー
４４  開口
４５  凹部
４６  開口
４８、４９  凹部
５０  弁軸受部
５１  弁体
５２  弁座
５３  軸部
５５  凹所
５６  隔壁
５７  本体
５８  軸基部
６１ａ、６１ｂ  スイッチング素子
【図１】
2010273957.tif 000003
【図２】
2010273957.tif 000004
【図３】
2010273957.tif 000005
【図４】
2010273957.tif 000006
【図５】
2010273957.tif 000007
【図６】
2010273957.tif 000008
【図７】
2010273957.tif 000009
【図８】
2010273957.tif 000010
【図９】
2010273957.tif 000011
【図１０】
2010273957.tif 000012
【図１１】
2010273957.tif 000013
【図１２】
2010273957.tif 000014